(57)【特許請求の範囲】
【請求項１】
断熱壁にて構成された本体の天壁上に化粧天板を取り付けて成るオープンショーケースにおいて、
前記本体の天壁後部に取り付けられた取付具と、前後に連設されて前記化粧天板を構成する後天板及び前天板と、前記後天板の前後縁を下方に屈曲して形成された前フランジ及び後フランジと、この後フランジに形成された後係合部と、前記前フランジに形成された前係合部と、前記前天板の後縁を下方に屈曲して形成された係合フランジとを備え、前記後フランジの後係合部を前記取付具に係合させ、前記前フランジの下端は前記本体の天壁にネジ止めすると共に、前記係合フランジを前記前係合部に係合させ、前記前天板の前部は下方に延在させた後、前記本体の開口部に下側からネジ止めしたことを特徴とするオープンショーケース。
【発明の詳細な説明】
【０００１】
【発明の属する技術分野】
本発明は、断熱壁にて構成された本体の天壁上に化粧天板を取り付けて成るオープンショーケースに関するものである。
【０００２】
【従来の技術】
従来よりこの種オープンショーケース、特に、ケース全高が低いオープンショーケースでは、例えば特開平８−２３３４４１号公報に示される如く、断熱壁から成る本体の天壁上に化粧天板を取り付けている。次ぎに、図６を参照して係る従来のオープンショーケース１００の構造を説明する。
【０００３】
オープンショーケース１００は前面に開口した断熱壁２により本体１１１が構成されている。この本体１１１の断熱壁２の内側には間隔を存して鋼板製の区画板８が取り付けられており、この区画板８の内側に前面の開口９を備えた貯蔵室１１が、また、区画板８と断熱壁２間にはダクト１２が構成されている。
【０００４】
前記区画板８の天面８Ａ前部は下方の開口９に向けて斜めに折曲され、そこに折曲部２１が形成されている。この折曲部２１の外側（前方）には間隔を存して仕切部材２３が平行に設けられており、これら仕切部材２３と折曲部２１間にダクト１２に連通した吐出口２６が構成され、この吐出口２６内にはハニカム材２７が取り付けられる。
【０００５】
また、本体１１１の天壁１１１Ａを構成する断熱壁２の天壁２Ａの前端には吊り金具１０１が取り付けられており、この吊り金具１０１にステンレス製の反射板３２が吊り下げ固定されると共に、この反射板３２の後端は仕切部材２３の下端に接続されている。そして、この反射板３２の内側（下面）に蛍光灯３３が取り付けられる。
【０００６】
ここで、係る高さ寸法の低いオープンショーケース１００では、買い物客の目の高さ、或いは、それ以下の位置に本体１１１の天壁１１１Ａが位置することなるため、この本体１１１の天壁１１１Ａ上には、据え付け現場において化粧天板１０３を取り付けている。この化粧天板１０３は、相互に連設された後天板１０４と前天板１０５から構成されており、後天板１０４の上面後部には座押し部１０６が一段低く形成されている。
【０００７】
この座押し部１０６には図示しないネジ孔が形成され、このネジ孔にネジ１０７を挿入し、天壁２Ａ上面に取り付けられた固定金具１０８に上から螺着することにより、後天板１０４の後部は断熱壁２（本体１１１）に固定されている。また、後天板１０４の前縁はクランク状に下方に屈曲されており、その下端部をネジ１０８にて天壁２Ａ上面に固定することにより、後天板１０４の前部を断熱壁２（本体１１１）に固定している。
【０００８】
一方、前天板１０５の前部は滑らかに湾曲しながら降下し、その下端（前端）は前記反射板３２（本体１１１）の前縁に係合される。そして、前天板１０５の上面後部には座押し部１０９が一段低く形成され、この座押し部１０９には図示しないネジ孔が形成される。そして、このネジ孔にネジ１１０を挿入し、上方から吊り金具１０１（本体１１１）に螺着することにより、前天板１０５の後部を本体１１１に固定している。
【０００９】
この状態で、前後天板１０５、１０４の上面は連続し、一連の化粧天板１０３を構成する。尚、４は後天板１０４と断熱壁２の天壁２Ａ間に挿入された補強材であり、５は前天板１０５の前面に取り付けられた温度計である。
【００１０】
【発明が解決しようとする課題】
このように従来では化粧天板１０３を構成する前後天板１０５、１０４に座押し部１０９、１０６を形成し、この座押し部１０９、１０６にて上から本体１１１に前後天板１０５、１０４をネジ止めする構造を採っていたため、ネジ止め箇所が極めて多くなり、据え付け現場での施工作業性が悪化すると共に、ネジ１０７や１１０が買い物客の目に入るため、外観的に好ましく無くなる。
【００１１】
また、座押し部１０６、１０９は窪んでいるためにそこに塵埃が溜まり易くなるが、この座押し部１０６、１０９を形成しないと、化粧天板１０３上に商品を載置した場合にネジ１０７、１１０が邪魔になる問題が生じる。
【００１２】
そこで、本発明は係る従来の技術的課題を解決するために成されたものであり、本体の天壁上に化粧天板を取り付けたオープンショーケースの組立・施工作業性と外観の向上を図ることを目的とする。
【００１３】
【課題を解決するための手段】
本発明のオープンショーケースは、断熱壁にて構成された本体の天壁上に化粧天板を取り付けて成るものであって、本体の天壁後部に取り付けられた取付具と、本体の天壁後部に取り付けられた取付具と、前後に連設されて化粧天板を構成する後天板及び前天板と、後天板の前後縁を下方に屈曲して形成された前フランジ及び後フランジと、この後フランジに形成された後係合部と、前フランジに形成された前係合部と、前天板の後縁を下方に屈曲して形成された係合フランジとを備え、後フランジの後係合部を取付具に係合させ、前フランジの下端は本体の天壁にネジ止めすると共に、係合フランジを前係合部に係合させ、前天板の前部は下方に延在させた後、本体の開口部に下側からネジ止めしたことを特徴とする。
【００１４】
本発明によれば、断熱壁にて構成された本体の天壁上に化粧天板を取り付けて成るショーケースにおいて、本体の天壁後部に取り付けられた取付具と、前後に連設されて化粧天板を構成する後天板及び前天板と、後天板の前後縁を下方に屈曲して形成された前フランジ及び後フランジと、この後フランジに形成された後係合部と、前フランジに形成された前係合部と、前天板の後縁を下方に屈曲して形成された係合フランジとを設け、後フランジの後係合部を取付具に係合させ、前フランジの下端は本体の天壁にネジ止めすると共に、係合フランジを前係合部に係合させ、前天板の前部は下方に延在させた後、本体の開口部に下側からネジ止めするようにしたので、化粧天板を固定する際のネジ止め箇所が削減され、オープンショーケースの組立作業性並びに据え付け現場での施工作業性が著しく向上する。また、ネジ止め箇所の減少により、外観も向上するものである。
【００１５】
特に、化粧天板を前後に連設される後天板及び前天板から構成すると共に、後天板の前後縁を下方に屈曲して形成された後フランジ及び前フランジと、この前フランジに形成された前係合部と、前天板の後縁を下方に屈曲して形成された係合フランジとを設け、後フランジに後係合部を形成して取付具に係合させ、前フランジの下端は本体の天壁にネジ止めすると共に、係合フランジを前係合部に係合させ、前天板の前部は下方に延在させた後、本体の開口部に下側からネジ止めしたので、化粧天板を前後二枚の天板から構成する際にも前天板の後部をネジ止めする必要が無くなり、ネジ止め箇所の削減が図れる。
【００１６】
また、後天板の前フランジを固定するネジは前天板の後部及び係合フランジにて隠蔽されると共に、前天板の前部は本体の開口部に下側からネジ止めしているので、ネジ止め箇所は殆ど見えなくなり、外観が著しく向上する。また、従来の如く座押し部を形成する必要も無くなるので、化粧天板上面の掃除が容易となると共に、前後天板の加工工数も減少するため、部品コストも削減することができるものである。
【００１７】
【発明の実施の形態】
以下、図面に基づき本発明の実施形態を詳述する。図１は本発明の実施例のオープンショーケース１の縦断側面図、図２はオープンショーケース１上部の拡大縦断側面図をそれぞれ示している。オープンショーケース１はスーパーマーケットなどの店舗内に設置される高さ寸法の低いショーケースであり、前面に開口した断熱壁２と図示しない側板とから本体３が構成されている。
【００１８】
係る断熱壁２の内側には間隔を存して鋼板製の区画板８が取り付けられており、この区画板８の内側に前面の開口９を備えた貯蔵室１１が、また、区画板８と断熱壁２間にはダクト１２が構成される。この貯蔵室１１内には棚１３、１３が複数段架設されると共に、貯蔵室１１の底部にはデックパン１４が取り付けられている。このデックパン１４下方には、後部が前記ダクト１２に連通した下部ダクト１６が構成され、この下部ダクト１６内には送風機１８が配設されると共に、ダクト１２の下部には冷却装置に含まれる冷却器１７が縦設されている。また、デックパン１４の前側には開口９の下縁に位置して下部ダクト１６に連通した吸込口１９が形成されている。
【００１９】
前記区画板８の天面８Ａ前部は下方の開口９に向けて斜めに折曲され、そこに折曲部２１が形成されている。この折曲部２１の外側（前方）には間隔を存して仕切部材２３が平行に設けられており、これら仕切部材２３と折曲部２１間にダクト１２に連通した吐出口２６が構成され、この吐出口２６内にはハニカム材２７が取り付けられる。
【００２０】
また、本体３の天壁３Ａを構成する断熱壁２の天壁２Ａの前端には吊り金具６（本体３を構成する）が取り付けられており、この吊り金具６にステンレス製の反射板３２が吊り下げ固定されると共に、この反射板３２の後端は仕切部材２３の下端に接続されている。そして、この反射板３２の内側（下面）に蛍光灯３３が取り付けられる。また、吊り金具６上部には下方に屈曲されて前方に面した取付面を構成する固定部７が形成されている。
【００２１】
一方、天壁２Ａ（天壁３Ａ）の上面後部には、図３及び図４に示されるような取付金具（取付具）３４が三箇所ネジ３６にて固定されている。この取付金具３４は、ネジ３６部分から徐々に高くなりながら前方に延在し、下方に屈曲された後、再び斜め前方に延在するように成形され、先端に傾斜辺３４Ａを構成している。係る形状により、前方から板材が天壁２Ａ上面に沿って傾斜辺３４Ａの下側に挿入された場合、取付金具３４はその弾性で上方に持ち上がり、その後、そのバネ性によって天壁２Ａ上面と取付金具３４間に当該板材を挟持することができる。
【００２２】
そして、同様に係る高さ寸法の低いオープンショーケース１では、買い物客の目の高さ、或いは、それ以下の位置に本体３の天壁３Ａが位置することなるため、この本体３の天壁３Ａ上には据え付け現場にて化粧天板４１が取り付けられる。この化粧天板４１は、相互に連設された後天板４２と前天板４３から構成されている。
【００２３】
後天板４２は横長矩形状の鋼板から成り、その周縁は下方に屈曲され、前フランジ４４、後フランジ４６及び左右フランジ４７、４７とされている。そして、後フランジ４６は図３に示される如く垂下した後、前方に直角に折曲されて後フランジ面４６Ａと底フランジ面４６Ｂとが形成され、更に、この後フランジ面４６Ａから底フランジ面４６Ｂに渡る矩形状の切欠から成る後係合部４６Ｃが三箇所形成されている。尚、各後係合部４６Ｃは前記取付金具３４の位置に対応しているものである。
【００２４】
また、前フランジ４４は図３に示される如く垂下し、一旦後方に鋭角に折曲された後、再び垂下する形状に折曲されている。そして、この鋭角に折曲された部分に前係合部４４Ａが構成され、その下方に垂下する部分には図示しないネジ孔が形成されている。
【００２５】
そして、係る後天板４２を取り付ける際には、後天板４２の天壁２Ａ上の取付金具３４・・前側に載置した後、後方にスライドさせる。すると、前述の如く後係合部４６Ｃ・・の底フランジ面４６Ｂが天壁２Ａの上面に沿って傾斜辺３４Ａの下側に挿入されるので、各取付金具３４・・はその弾性で上方に持ち上がり、その後、そのバネ性によって天壁２Ａ上面と取付金具３４・・間に底フランジ面４６Ｂを挟持する。これによって、後天板４２の後部は天壁２Ａ（３Ａ）に固定されると共に、ネジ３６及び取付金具３４は後天板４２にて前方から隠蔽されるかたちとなる。
【００２６】
また、この状態で前フランジ４４のネジ孔は、前記吊り金具６の固定部７前面に当接するので、ネジ５１を前方からネジ孔に挿入し、固定部７に螺着させることによって前フランジ４４を固定部７に固定する。これによって、後天板４２は本体３に固定されることになる。
【００２７】
一方、前天板４３も横長矩形状の鋼板から成るが、その前部は滑らかに湾曲しながら降下している。そして、前天板４３の後縁は図３に示す如く垂下した後、鋭角で後方に折曲され、そこに係合フランジ５２が形成されている。
【００２８】
そして、係る前天板４３を取り付ける際には、この係合フランジ５２を後天板４２の前フランジ４４に形成された前係合部４４Ａに係合し、両側を吊り金具６に載置する。次ぎに、その下端（前端）をネジ５３にて下側から前記反射板３２の前端に螺着することにより、前天板４３を本体３に固定する。
【００２９】
この状態で、前後天板４３、４２の上面は連続し、一連の化粧天板４１を構成する。そして、ネジ５１は前天板４３の後部及び係合フランジ５２にて隠蔽される。また、前天板４３の前端は反射板３２に下側からネジ（５３）止めしているので、ネジ止め箇所は殆ど見えなくなり、外観が著しく向上する。
【００３０】
尚、４は後天板４２と断熱壁２の天壁２Ａ間に挿入された補強材であり、５は前天板４３の前面に取り付けられた温度計である。
【００３１】
次ぎに、図５は後天板４２の後部の取付構造の他の実施例を示している。尚、この図において図３と同一符号は同一若しくは同様の機能を奏するものとする。この場合、取付金具３４はネジ３６にて天壁２Ａ上面に固定される固定辺６１Ｂと、この固定辺６１Ｂの後縁から垂直に起立した後、前方に折曲された係合辺６１Ａとから構成されている。
【００３２】
一方、後天板４２の後フランジ４６は上面から垂下する後フランジ面４６Ａと、この後フランジ面４６Ａから下前方に斜めに降下した後、後方に鋭角に折り返された後係合部４６Ｄとから構成される。そして、この場合はこの後係合部４６Ｄを前方から係合辺６１Ａの下側に係合することにより、後天板４２の後部を本体３に固定するものである。
【００３３】
また、同様に後天板４２によりネジ３６及び取付金具３４は隠蔽される。更に、この場合の構成によれば、後係合部４５Ｄや取付金具３４の形状を簡素化でき、部品コストの削減が図れるものである。
【００３４】
【発明の効果】
以上詳述した如く本発明によれば、断熱壁にて構成された本体の天壁上に化粧天板を取り付けて成るショーケースにおいて、本体の天壁後部に取り付けられた取付具と、前後に連設されて化粧天板を構成する後天板及び前天板と、後天板の前後縁を下方に屈曲して形成された前フランジ及び後フランジと、この後フランジに形成された後係合部と、前フランジに形成された前係合部と、前天板の後縁を下方に屈曲して形成された係合フランジとを設け、後フランジの後係合部を取付具に係合させ、前フランジの下端は本体の天壁にネジ止めすると共に、係合フランジを前係合部に係合させ、前天板の前部は下方に延在させた後、本体の開口部に下側からネジ止めするようにしたので、化粧天板を固定する際のネジ止め箇所が削減され、オープンショーケースの組立作業性並びに据え付け現場での施工作業性が著しく向上する。また、ネジ止め箇所の減少により、外観も向上するものである。
【００３５】
特に、化粧天板を前後に連設される後天板及び前天板から構成すると共に、後天板の前後縁を下方に屈曲して形成された後フランジ及び前フランジと、この前フランジに形成された前係合部と、前天板の後縁を下方に屈曲して形成された係合フランジとを設け、後フランジに後係合部を形成して取付具に係合させ、前フランジの下端は本体の天壁にネジ止めすると共に、係合フランジを前係合部に係合させ、前天板の前部は下方に延在させた後、本体の開口部に下側からネジ止めしたので、化粧天板を前後二枚の天板から構成する際にも前天板の後部をネジ止めする必要が無くなり、ネジ止め箇所の削減が図れる。
【００３６】
また、後天板の前フランジを固定するネジは前天板の後部及び係合フランジにて隠蔽されると共に、前天板の前部は本体の開口部に下側からネジ止めしているので、ネジ止め箇所は殆ど見えなくなり、外観が著しく向上する。また、従来の如く座押し部を形成する必要も無くなるので、化粧天板上面の掃除が容易となると共に、前後天板の加工工数も減少するため、部品コストも削減することができるものである。
【図面の簡単な説明】
【図１】  本発明の実施例のオープンショーケースの縦断側面図である。
【図２】  図１のオープンショーケース上部の拡大縦断側面図である。
【図３】  図１のオープンショーケースの化粧天板の取付構造を示す図である。
【図４】  図１のオープンショーケースの後天板と断熱壁の天壁後部の斜視図である。
【図５】  本発明のオープンショーケースの後天板の取付構造の他の実施例を示す図である。
【図６】  従来のオープンショーケース上部の拡大縦断側面図である。
【符号の説明】
１  オープンショーケース
２  断熱壁
２Ａ  天壁
３  本体
３Ａ  天壁
６  吊り金具
９  開口
１１  貯蔵室
３２  反射板
３４  取付金具
３６、５１、５３  ネジ
４１  化粧天板
４２  後天板
４３  前天板
４４  前フランジ
４４Ａ  前係合部
４６  後フランジ
４６Ｃ、４６Ｄ  後係合部
５２  係合フランジ
【図１】
0003913389.tif 000002
【図２】
0003913389.tif 000003
【図３】
0003913389.tif 000004
【図４】
0003913389.tif 000005
【図５】
0003913389.tif 000006
【図６】
0003913389.tif 000007